(57)【特許請求の範囲】
【請求項１】
自動販売機の本体と扉の施錠装置において、機械的に施錠／解錠する第１の施錠機構と制御回路からの出力信号に基づいて施錠／解錠する第２の施錠機構とからなり、前記第２の施錠機構は予め記憶された時刻情報に基づいて施錠／解錠を繰り返し、商品選択ボタンを通じて入力されたコードが予め記憶されたコードと一致した時、解錠することを特徴とする自動販売機の施錠装置。
【発明の詳細な説明】
【０００１】
【産業上の利用分野】
本発明は、自動販売機の本体と扉の施錠装置において、セキュリティー向上を図った自動販売機の施錠装置に関する。
【０００２】
【従来の技術】
従来、清涼飲料、ビール、煙草、アイスクリーム、お菓子、米、食料品等、ありとあらゆる商品の自動販売機が普及している。この種の自動販売機では、本体と扉の間に、機械的な施錠機構が設けられ、鍵によりその施錠機構を施錠／解錠するようになっている（例えば、実開昭６４−２７７６５号公報）。
【０００３】
【発明が解決しようとする課題】
近年では、自動販売機の商品や売上金等を窃盗する事件が多くなっており、特に事件は夜間に多発する傾向にある。
【０００４】
この種の窃盗事件の多くは、自動販売機の機械的な施錠機構を破壊し、扉をこじあけるようにして、商品や売上金等を窃盗するものである。従来の構成によれば、工具等を使用すれば、機械的な施錠機構は簡単に破壊されるので、セキュリティーに欠けるという問題があった。
【０００５】
そこで、本発明の目的は、上述した従来の技術が有する問題点を解消し、セキュリティーを向上させて、窃盗事件の発生を未然に防止することのできる自動販売機の施錠装置を提供することにある。
【０００６】
【課題を解決するための手段】
上記目的を達成するために、請求項１記載の発明は、自動販売機の本体と扉の施錠装置において、機械的に施錠／解錠する第１の施錠機構と制御回路からの出力信号に基づいて施錠／解錠する第２の施錠機構とからなり、第２の施錠機構は予め記憶された時刻情報に基づいて施錠／解錠を繰り返し、商品選択ボタンを通じて入力されたコードが予め記憶されたコードと一致した時、解錠することを特徴とするものである。
【０００８】
【作用】
請求項１記載の発明によれば、メンテナンス者は、扉を開ける時にまず鍵を鍵穴に挿入し、第１の施錠機構を解錠する。しかしながら、第１の施錠機構の解錠が行われても、予め記憶された時刻情報、例えば、午後６時〜午前６時の間は、第２の施錠機構が施錠されるので、扉は開かない。
【０００９】
これによれば、自動販売機の商品及び投入金額の窃盗は防止される。窃盗者側としても第２の施錠機構を開けない限り、窃盗目的を達成できないので、以後の窃盗を断念する可能性が高い。午後６時〜午前６時以外の時間帯における窃盗事件の発生は少ないであろうから、第２の施錠機構は開いたまゝでよい。この時には、第１の施錠機構を解錠するだけで、扉は開かれる。
【００１０】
また、例えば、午後６時〜午前６時の間において、何等かの都合によりメンテナンス者が扉を開ける時には、まず鍵を鍵穴に挿入して第１の施錠機構を解錠し、ついで商品選択ボタンを通じて所定のコードを入力する。この時入力するコードは「予め記憶されたコード」と一致するコードである。これによれば、午後６時〜午前６時の間であっても、優先して第２の施錠機構が解錠されるので、簡単に扉を開けることができる。
【００１１】
【実施例】
以下、本発明による自動販売機の一実施例を図面を参照して説明する。
【００１２】
図１において、１は自動販売機を示している。この自動販売機１には料金投入口３が設けられており、この料金投入口３にコインを投入して、購入したい商品をセレクトする選択ボタン５を押すと、購入したい商品が販売口７に販売されるしくみになっている。投入したコインの料金は投入金額表示器９に表示される。なお１１はつり銭返却口である。また、この種の自動販売機１は、本体１０と扉１３とからなっており、扉１３には機械的に扉１３を施錠／解錠するための第１の施錠機構１５が設けられている。なお１７は鍵穴である。
【００１３】
また、この実施例によれば、後述するように、第１の施錠機構１５のほかに、制御回路からの出力信号（図２）に基づいて、本体１０の扉１３を施錠／解錠するための第２の施錠機構が設けられている。
【００１４】
図２を参照して、この第２の施錠機構１００は、制御回路２１からの出力信号２１ａに基づいて扉１３を施錠／解錠するようになっている。この制御回路２１には、時刻情報を入力するための入力装置２３と、入力された時刻情報を記憶するためのメモリ２５とがつながれ、このメモリ２５に予め記憶された時刻情報に基づいて、制御回路２１は、扉１３を施錠／解錠するようになっている。例えば、夜間の窃盗を防止する目的であれば、午後６時〜午前６時までをメモリ２５に記憶させておき、その間は、第２の施錠機構１００を閉じ、仮に窃盗目的で第１の施錠機構１５が破壊されても、扉１３が開かないようにし、上記時間以外の時には第２の施錠機構１００を開き、メンテナンス者は第１の施錠機構１５を開けるだけで扉１３を開けるようにする。
【００１５】
また、制御回路２１には、入力装置２３とメモリ２５のほかに、複数の商品選択ボタン５（５ａ〜５ｃ）がつながれている。商品選択ボタン５（５ａ〜５ｃ）は入力部を構成する。そして、メンテナンス者が、商品選択ボタン５ａ〜５ｃを通じて所定のコードを入力する時、そのコードが「予め記憶されたコード」と一致するコードであれば、メモリ２５に記憶された時間内であっても、優先して第２の施錠機構１００を解錠（／施錠）できるようにする。なお、「予め記憶されたコード」は入力装置２３により入力され記憶される。
【００１６】
商品選択ボタン５ａ〜５ｃは３個で説明したが、何個あってもよいし、エスクロスイッチを使用するようにしてもよい。
【００１７】
つぎに、この実施例の作用を説明する。
【００１８】
図１、及び図２を参照して、メンテナンス者は、扉１３を開ける時に、まず鍵１５ａを鍵穴１７に挿入し、第１の施錠機構１５を解錠する。上記の実施例に従うと、第１の施錠機構１５の解錠が、メモリ２５に記憶された午後６時〜午前６時以外の時間帯であれば、第２の施錠機構１００は開かれているので、そのまゝ扉１３は開かれる。午後６時〜午前６時以外の時間帯における窃盗事件の発生は少ないであろうから、第２の施錠機構１００は開いたまゝでよい。
【００１９】
これに対して、午後６時〜午前６時には、第２の施錠機構１００は閉じられるので、この時間帯に、第１の施錠機構１５を解錠したとしても、扉１３は開けることはできない。すなわち、窃盗を目的としてこの時間帯に第１の施錠機構１５を破壊したとしても、第２の施錠機構１００が閉じられているので、扉１３は開けることはできない。これによれば、自動販売機の商品及び投入金額の窃盗は防止される。また、窃盗者側としても第２の施錠機構１００を開けない限り、窃盗目的を達成できないので、以後の窃盗を断念する可能性が高い。
【００２０】
また、夜間において、何等かの都合によりメンテナンス者が扉１３を開ける時には、まず鍵１５ａを鍵穴１７に挿入して第１の施錠機構１５を解錠し、ついで商品選択ボタン５ａ〜５ｃを通じて所定のコードを入力する。この時入力するコードは「予め記憶されたコード」と一致するコードである。これによれば、メモリ２５に記憶された時間内であっても、優先して第２の施錠機構１００が解錠されるので、簡単に扉１３を開けることができる。
【００２１】
「予め記憶されたコード」は、商品選択ボタン５ａ，５ｂ，５ｃを押す順序であってもよく、例えば、商品選択ボタン５ａ、商品選択ボタン５ｂ、商品選択ボタン５ｃの順に押した後に、最後に再び商品選択ボタン５ａを押すといった順序であってもよい。
【００２２】
なお、第１の施錠機構１５と第２の施錠機構１００の動作モードをまとめると、図３に示すようになり、この実施例によれば、両施錠機構１５，１００が解錠されて初めて扉１３が開くことは明らかである。
【００２３】
要するに、この実施例によれば、夜間において、窃盗を目的として第１の施錠機構１５を破壊したとしても、第２の施錠機構１００が施錠されているので、扉１３を開けることはできず、自動販売機の商品及び売上金を窃盗することはできないので、セキュリティーを高めることができる。
【００２４】
以上、一実施例に基づいて本発明を説明したが、本発明は、これに限定されるものでないことは明らかである。
【００２５】
【発明の効果】
以上の説明から明らかなように、請求項１記載の発明によれば、メンテナンス者は、第１の施錠機構を解錠し、且つ第２の施錠機構を解錠しないと、扉を開けることができないので、自動販売機の商品及び投入金額の窃盗は防止される。ただし、第２の施錠機構の解錠／施錠は、予め記憶された時刻情報に基づいて繰り返して行われるので、窃盗の多発する時間帯だけ、例えば夜間だけ、第２の施錠機構を施錠するようにし、それ以外の時間帯は、第２の施錠機構を解錠するようにすれば、例えば昼間のメンテナンス者は、第１の施錠機構を解錠するだけで扉を簡単に開けることができる、等の効果が得られる。
【００２６】また、例えば夜間において、何等かの都合によりメンテナンス者が扉を開ける時、まず第１の施錠機構を解錠し、ついで商品選択ボタンを通じて所定のコードを入力すれば、たとえ夜間であっても、第２の施錠機構が解錠されるので、簡単に扉を開けることができる。
【図面の簡単な説明】
【図１】本発明による自動販売機の一実施例を示す正面図である。
【図２】自動販売機の制御部のブロック図である。
【図３】施錠／解錠の動作モードを示す図である。
【符号の説明】
１  自動販売機
５，５ａ，５ｂ  商品選択ボタン（入力部）
１０  本体
１３  扉
１５  第１の施錠機構
２１  制御回路
２１ａ  出力信号
２３  入力装置
２５  メモリ
１００  第２の施錠機構
【図１】
0003716438.tif 000002
【図２】
0003716438.tif 000003
【図３】
0003716438.tif 000004